(57)【要約】【課題】本発明は基幹伝送路網を構成する複数の伝送装置からなるネットワークの監視・制御のための複数のクライアント端末とサーバとを備えたオペレーションシステムに関し，クライアントから制御を実施したい制御対象について他のクライアントによる制御中である場合に，不要な制御入力を回避することを目的とする。【解決手段】クライアント端末は，ネットワーク内の制御対象，制御元，制御名称，占有時間等を含む制御要求を作成し，作成された制御要求をサーバに送信する。サーバは，ネットワークの構成を階層化して分類したテーブルを備えたデータベースと，クライアント端末から受け取った制御要求を解析して，制御対象に対応したデータベースのテーブル中に制御元のクライアント端末単位の各制御情報を格納し，制御要求に基づいてネットワークへの制御情報を作成することによりサーバ側でクライアント端末単位の制御情報を管理するよう構成する。【選択図】図１
2008077133.tif 000002
【特許請求の範囲】
【請求項１】
基幹伝送路網を構成する複数の伝送装置からなるネットワークの監視・制御のための複数のクライアント端末とサーバとを備えたオペレーションシステムにおいて，
前記クライアント端末は，前記ネットワーク内の制御対象，制御元のクライアント識別情報，制御名称，占有時間等の制御情報を含む制御要求を作成する手段と，作成された制御要求を前記サーバに送信する手段とを備え，
前記サーバは，ネットワークの構成を階層化して分類したテーブルを備えたデータベースと，前記クライアント端末から受け取った前記制御要求を解析して，制御対象に対応した前記データベースのテーブル中に制御元のクライアント端末単位の各制御情報を格納する手段と前記制御要求に基づいてネットワークへの制御情報を作成する手段とを備え，
前記サーバ側でクライアント端末単位の制御情報を管理することを特徴とするネットワークの監視・制御のための複数のクライアント端末とサーバとを備えたオペレーションシステム。
【請求項２】
請求項１において，
前記サーバの前記制御情報を格納する手段は，前記制御要求に基づいて前記データベースの制御対象に対応したテーブル中に当該制御対象の制御状況を表す情報として，制御中を表す情報を設定し，
制御対象の階層単位にクライアント端末からの制御状況を管理することを特徴とするネットワークの監視・制御のための複数のクライアント端末とサーバとを備えたオペレーションシステム。
【請求項３】
請求項１において，
前記サーバは前記クライアント端末から送信された前記制御要求の受信を契機として，接続中のその他のクライアント端末に対して状態変更通知を通知する手段を備え，
各クライアント端末において他のクライアント端末の制御状況を識別することを特徴とするネットワークの監視・制御のための複数のクライアント端末とサーバとを備えたオペレーションシステム。
【請求項４】
請求項３において，
前記状態変更通知を受け取ったことを契機として前記他のクライアント端末は，前記サーバに対して前記データベースの制御状況の読み出し要求を行う手段と，前記サーバから受け取った前記データベースから読み出した制御状況が制御中に設定された制御対象について，当該制御対象の階層関係に対応した範囲の画面への表示を通常と異なる表示形態に変更する画面マスク処理部を備え，
同一制御対象に対する操作を抑止することを特徴とするネットワークの監視・制御のための複数のクライアント端末とサーバとを備えたオペレーションシステム。
【請求項５】
複数のクライアント端末とサーバとで基幹伝送路網を構成する複数の伝送装置からなるネットワーク監視・制御のためのオペレーションシステムにおいて，
クライアント端末からの制御対象を，システム，ネットワーク，伝送装置，セクション，パスというシステムを最上位としてリレーション化するようサーバのデータベースに保持し，
各クライアント端末は，前記サーバのデータベースに読み出し要求を出して他クライアント端末からの制御対象の階層を識別し，リレーション情報から識別した制御対象の階層と，それに属する下位の構成を判断することにより，関連する制御対象に対する操作を抑止することを特徴とするネットワークの監視・制御のための複数のクライアント端末とサーバとを備えたオペレーションシステム。
【発明の詳細な説明】
【技術分野】
【０００１】
本発明は複数の伝送装置からなるネットワークの監視・制御のための複数のクライアント端末とサーバとを備えたオペレーションシステム（Ｏｐｓと略称される）に関する。
【０００２】
複数の伝送装置からなる基幹伝送路網を監視・制御するオペレーションシステム（Ｏｐｓ）は，保守者からのサービス要求（監視・制御のための対象を指定した各種の制御指示）を入力するクライアントシステムと，そのクライアントシステムとネットワーク（基幹伝送路網）に接続されてクライアントシステムから入力したサービスを実行するサーバシステムとで構成されるクライアント・サーバモデル型の構成を備えている。このようなシステムでは，複数の保守者がそれぞれのクライアント（またはクライアント端末）からのサーバ要求を受け取ると，同じ装置に対して複数のクライアントからサービスを要求する場合があり，効率的に制御することが望まれている。
【背景技術】
【０００３】
図８は従来例の説明図である。図中，５０はオペレーションシステム（Ｏｐｓ），５１はクライアントシステム，５１０は複数設けられたクライアント端末（またはクライアント）♯１〜♯ｎ，５２はサーバシステム，５２０は基幹伝送路網の監視・制御を行うサーバ，５２１は基幹伝送路網のネットワーク，伝送装置（ＮＥ：Network Element)の構成情報や伝送装置の制御状況を管理するための管理用データベース（管理用ＤＢ），５３は公衆通信事業者等が運用する基幹伝送路網（ネットワーク），５４は複数の伝送装置５５をリング接続することにより構成されたネットワークである。５５は伝送装置♯ａ（ＮＥ♯ａ）〜伝送装置♯ｅ（ＮＥ♯ｅ）であり，伝送装置♯ａはサーバ５２０と接続されたゲート伝送装置（ＧＮＥ）である。なお，この例では基幹伝送路網５３はリング接続された５個の伝送装置（ＮＥ♯ａ〜ＮＥ♯ｅ）からなる一つのネットワークだけ図示されているが，他の複数のネットワーク♯Ｂ〜ネットワーク♯Ｎが存在する場合もある。また，管理用ＤＢ５２１には，システム名と制御状況を含むシステムテーブル５２１０，システム内の各ネットワーク名と制御状況が格納されたネットワークテーブル５２１１及び各伝送装置の名称（ＮＥ♯ａ，ＮＥ♯ｂ，…ＮＥ♯ｅ，ＮＥ♯ｆ，ＮＥ♯ｇ，……）とそれぞれの制御状況５２１２とが格納されている。
【０００４】
この構成において，クライアント端末♯１から制御情報として，コマンド（制御対象と制御内容を含む），制御要求元のクライアント識別情報（♯１）から成る制御要求が送られる。このコマンドが制御対象としてＮＥ♯ａを指定したものとする。このクライアント端末♯１からの制御要求がサーバ５２０に送信されると，サーバ５２０は受付順に処理され，要求を受け取った時点で管理用ＤＢ５２１における制御対象（この例ではＮＥ♯ａ）の制御状況（５２１２のＮＥ♯ａの制御状況）を参照する。この時，制御対象（システム，ネットワーク，ＮＥ）のＮＥ制御状況が「無」の場合，制御対象に対して制御を実行する。しかし，制御対象のＮＥ制御状況が「有」の場合，クライアント端末からの要求は実行されず，拒否（排他）される。そのため，同一制御対象に対して複数のクライアント端末から同時期に制御を実施した場合，サーバが要求を受け付けたクライアント端末以外のクライアント端末からの要求は拒否される。この場合，そのクライアント端末に対してサーバ５２０から「制御中」という応答が返される。
【０００５】
例えば，伝送装置ＮＥ♯ａを制御対象としてサーバ５２０にクライアント端末♯１，♯２，♯３から同時期に制御要求を出した場合，最初に受け取ったクライアント端末♯１からの要求を処理し，管理用ＤＢ５２１のＮＥ♯ａのＮＥ制御状況５２１２を「無」から「有」に変更する。クライアント端末♯２，クライアント端末♯３からの要求は，クライアント端末♯１からの要求が完了するまでの間は「制御中」という応答を行う。なお，仮に，クライアント端末♯４からＮＥ♯ｂに対する制御要求が発生した場合，制御対象の伝送装置（ＮＥ）がクライアント端末♯１のＮＥ♯ａと異なるため，クライアント端末♯１からの制御とクライアント端末♯４からの制御は同時実行が可能である。
【０００６】
上記従来の複数のクライアント端末による同じ制御対象に対する制御要求が同時期に発生した場合，特定クライアント端末１台だけ制御可能にし，他のクライアント端末による制御を抑止する技術は特許文献１に開示されている。この技術では，クライアント端末がある制御対象に対し制御要求を出す時に他のクライアント端末による制御対象（システム，ネットワーク，伝送装置という階層関係を含む）を知ることができないため，制御要求を出す作業を行うことになり効率が悪かった。
【０００７】
また，複数のクライアント端末とサーバで構成するクライアント・サーバシステムにおいて，クライアント端末からの画面開設通知に基づいて開設画面と当該開設画面を開設しているクライアント端末に関する情報をデータベースに登録し，クライアント端末からの制御要求に基づいてデータベースから当該画面を開設している他のクライアント端末及び当該画面が処理中であるか否かに関する情報を取得し，画面が処理中のときその制御要求が拒否されたことをクライアント端末に通知し，画面が処理中でないとき，当該画面が処理中であるようデータベースの更新及びその制御要求が許可されたことをクライアント端末に通知するという技術が特許文献２に開示されている。しかし，この技術は，同一画面についての複数のクライアント端末による画面制御の要求を処理するものであり，複数の伝送装置で構成するネットワークについて画面間について階層関係（システム，ネットワーク，伝送装置）を含めた排他制御の状況を制御要求を出す前にクライアント端末の画面上で表示することができない。
【０００８】
また，ネットワークを介して接続された複数の情報処理装置により共有される共有機器（スキャナ，プリンタ等）が一つの情報処理装置にローカル接続されたシステムにおいて，共有機器を使用する前に，共有機器がローカル接続された情報処理装置にネットワークを介して共有機器の状態を問い合わせ，返答された共有機器の状態を認識可能に表示し，例えば，使用不可の状態を白抜き表示する技術が特許文献３に開示されている。この特許文献３は，基幹伝送路網のようにシステム，ネットワーク，伝送装置という階層関係を持つネットワークを対象として監視・制御するシステムについて，どのクライアント端末からどこを制御しているかについての技術を開示するものではない。
【特許文献１】特開２００５−１９８１５０号公報
【特許文献２】特開２００３−１４０９３７号公報
【特許文献３】特開２０００−２９３４６８号公報
【発明の開示】
【発明が解決しようとする課題】
【０００９】
上記したように，従来の技術では基幹伝送路網のようなシステム，ネットワーク，伝送装置といった階層関係を持つ対象を複数のクライアント端末から制御・監視する場合に，他のクライアント端末の操作状況を把握することができない。特に，同一伝送装置（ＮＥ）を制御した場合に，他のクライアント端末が作業中であることを示す応答（エラー）を受信することで初めて他のクライアント端末が作業中であることが分かり，運用面において非効率であるという問題があった。
【００１０】
また，排他制御を行う場合に，エラーの応答を受信するだけで，先に実行された制御が実行される時間（開始から終了まで）も分からないという問題があった。
【００１１】
また，従来の技術では，データベース内の整合性を保つため，複数のクライアント端末間の排他制御は同一伝送装置に対する制御に限定して行われており，複数の伝送装置で構成されるネットワーク情報（伝送装置より上位階層）に対する排他制御や，データベース内のデータ間の関連性を考慮した排他制御を行っていないという問題があった。
【００１２】
本発明は複数の伝送装置からなる基幹伝送路網を監視・制御するオペレーションシステムにおいて，クライアント端末から制御を実施したい制御対象について他のクライアント端末による制御中である場合に，制御元，制御内容，占有時間等の制御不可である理由を明確に表示して，不要な制御入力を回避することができるネットワークの監視・制御のための複数のクライアント端末とサーバとを備えたオペレーションシステムを提供することを目的とする。
【００１３】
また，従来の複数の伝送装置で構成されるネットワーク情報に対する排他制御が不十分であり，データベース内のデータ間の関連性を考慮した排他制御になっていないという課題を解決することを他の目的となる。
【課題を解決するための手段】
【００１４】
図１は本発明の原理構成を示す図である。図中，１は基幹伝送路網であるネットワークシステムの監視・制御を行うオペレーションシステム（Ｏｐｓ），１０はクライアントシステム，１０−１，１０−２，……，１０−ｎは監視・制御を行う保守担当者により操作されるクライアント端末（クライアント端末♯１〜クライアント端末♯ｎで表す），１１はサーバシステム，１１０はサーバ，１１１はデータベースであり，１１１ａはシステムテーブル，１１１ｂはネットワークテーブル，１１１ｃは伝送装置（ＮＥ）テーブルであり，各テーブル１１１ａ〜１１１ｃのそれぞれに，本発明により新たに設けた「クライアント」（制御を行うクライアント端末），「制御名称」，「占有時間」（制御開始時間〜制御終了時間）という複数の項目が追加され，伝送装置（ＮＥ）テーブル１１１ｃには更に「ネットワーク名」が追加されている。２はネットワーク（基幹伝送路網），２０ａ（ＮＥ♯ａ）〜２０ｅ（ＮＥ♯ｅ）はリング型のネットワーク♯Ａを構成する伝送装置，２０ｆ（ＮＥ♯ｆ）〜２０ｊ（ＮＥ♯ｊ）はリング型のネットワーク♯Ｂを構成する伝送装置である。１００−１はクライアント端末♯１の画面，１０１−１は制御対象の画像（制御可能であることを表す通常表示），１０２−１は詳細表示ボタン，１００−２はクライアント端末♯２〜♯ｎの画面，１０１−２は制御対象の画像（制御不可であることを表すカスレ画像），１０２−２は詳細表示ボタンである。
【００１５】
本発明ではクライアントシステム１０の一つのクライアント端末（この説明の例では，クライアント端末♯１とする）からサーバ１１０に対して，ネットワーク♯Ａ（ＮＥ♯ａ〜ＮＥ♯ｅ）を制御対象とする制御要求を発生する（図１のａ）。この制御要求は，本発明により従来のものより項目及び情報内容が変更され，(1) 制御要求元のクライアント端末の情報，(2) 制御対象（システム，ネットワーク，伝送装置，セクション，パス等を指定）の情報，(3) 制御名称（または制御内容に対応した制御画面の名称），(4) 占有時間（操作開始時間〜終了時間）の各項目の情報が含まれ，これらの制御要求を受け取ったサーバ１１０は，データベース１１１の中の該当する項目を受け取った(1) 〜(4) の値で更新する（図１のｂ）。また，データベース１１１の「ＮＥ（伝送装置）制御状況」を「無」から「有」（制御中の状態）に設定する。クライアント端末♯１からの制御要求を受信後，データベース更新後に，制御要求の発行元のクライアント端末♯１以外のクライアント端末♯２〜♯ｎに対して状態変更通知を通知する（図１のｃ）。
【００１６】
状態変更通知を受信した他のクライアント端末♯２〜♯ｎはサーバ１１０から「ＮＥ制御状況」（「有」に設定されている），「クライアント」，「制御対象」，「制御名称」，「占有時間」情報を取得する（図１のｄ）。クライアント端末♯２〜♯ｎは，取得した制御状況が「有」に設定された制御対象（ネットワーク♯Ａを構成するＮＥ♯ａ〜ＮＥ♯ｅ）を識別すると画面上での制御対象の画像の表示を通常と異なるようマスクする。すなわち，正常ではないことを表示（図１の例ではネットワーク♯Ａをカスレ表示）をする。このクライアント端末♯２〜♯ｎの画面には，他のクライアント端末♯１の制御情報の詳細は，画面上の詳細表示ボタン１０２−２を操作することで拡大表示される（図１のｅ）。この時の「詳細表示ボタン」により表示される内容は，クライアントが「クライアント♯１」，制御単位が「ネットワーク♯Ａ」，制御内容が「パス設定」，占有時間は「開始年月日時分秒〜終了年月日時分秒」である。
【００１７】
クライアント端末♯１からの制御要求を受信したサーバ１１０は，制御内容を解析し，該当する伝送装置（ＮＥ）に対して制御を実行する（図１のｆ）。対象伝送装置（ＮＥ）から制御結果を含む応答の受信後に，サーバ１１０に対して実行結果により制御状況についてデータベース１１１を更新することで制御中の状態を解除する（図１のｇ）。この制御状況の更新による状態変更通知を他のクライアント端末♯２〜♯ｎに通知する（図１のｈ）。状態変更通知を受けたクライアント端末♯２〜♯ｎはサーバ１１０から「ＮＥ制御状況」が「無」に設定されている「クライアント」（クライアント端末識別情報），「制御対象」，「占有時間」，情報を取得する（図１のｉ）。クライアント端末♯２〜♯ｎは取得した情報から該当画面の制御対象のカスレ表示（マスク表示）が解除される。これにより，同じ制御対象に対して他のクライアント端末から監視・制御を行うことができる。
【００１８】
また，サーバシステム１１内のデータベース１１１は，オペレーションシステム１の監視・制御対象を階層化（クラス化）し，その単位にテーブルを分割した構成とした。図１にはシステムテーブル１１１ａ，ネットワークテーブル１１１ｂ，ＮＥテーブル１１１ｃだけ示すが，この下位階層にＰＫＧ（パッケージ），セクション，パスといった単位のテーブルに分割することができる。このようにすることで，例えば，ＮＥテーブルのＮＥ♯ａ，ＮＥ♯ｂ，ＮＥ♯ｃ，ＮＥ♯ｄ，ＮＥ♯ｅはネットワーク♯Ａに属することを情報として保持することで，ネットワーク♯Ａに対する制御中は，該当ネットワークに属するＮＥ♯ａ，……，ＮＥ♯ｅまでの制御操作をガードすることが可能となる。
【発明の効果】
【００１９】
本発明によれば，複数の伝送装置からなるネットワークを監視・制御するオペレーションシステムにおいて，クライアント端末から制御を実施する時に他のクライアント端末からオペレーション途中であると，予め制御対象のネットワークや伝送装置が操作不可であることを表示することにより，不要な制御入力操作を防ぐことができ，効率的な運用が可能となる。また，データベース内のデータ間の関係に基づいて，オペレーション途中の制御対象の画面に関連する画面を全てガードすることを可能にする。
【００２０】
これらにより，基幹伝送路網のようなネットワークの監視制御システムのオペレーションの効率的な運営を実現することができる。
【発明を実施するための最良の形態】
【００２１】
図２は実施例のクライアント端末（図１の１０−１（♯１）〜１０−ｎ（♯ｎ）に対応）の構成を示し，図３は実施例のサーバ（図１の１１０に対応）の構成を示す。図２において，１０ａは操作者（オペレータ）との画面を介したインタフェースであるＧＵＩ（Graphic User Interface) 部，１０ｂはサーバ要求情報作成部，１０ｃはサーバからの各種の通知を受け取るトリガ受信部，１０ｄはサーバからの応答を解析するサーバ応答解析部，１０ｅはサーバのデータベースから取得した現在のネットワークへの制御状況から，制御中の対象についてマスク表示（例えば，カスレ表示）するための処理を行う画面マスク処理部，１０ｆはサーバ応答結果を画面表示のために書き込むサーバ応答結果書き込み部，１０ｇはサーバとの通信を行うサーバ通信部である。
【００２２】
また，図３において，１１０ａはクライアント端末と通信を行うクライアント通信部，１１０ｂはクライアント端末からの要求を解析するクライアント要求解析部，１１０ｃは伝送装置（ＮＥ）制御情報作成＆応答解析部，１１０ｄは伝送装置（ＮＥ）と通信を行う伝送装置（ＮＥ）通信部である。また，１１１は上記図１と同じデータベースである。
【００２３】
図２に示すクライアント端末と図３に示すサーバ及び監視・制御の対象となるネットワーク（図１の２参照）の間の相互の通信により監視・制御が実行され，図４〜図６は制御動作による処理シーケンスの例であり，図４，図５は制御要求をしたクライアント端末とサーバとネットワーク（ＮＥ）の処理シーケンス例（その１），（その２）であり，図６はその他のクライアント端末とサーバの処理シーケンス例であり，その動作を順に説明する。なお，図４〜図６の各部の名称及び符号は上記図２，図３と同じであり，図４のＮＥは図１の基幹伝送路網（ネットワーク）２を表す。
【００２４】
クライアント端末♯１（１０♯１）のＧＵＩ部１０ａから制御要求を発生すると（図４のａ），サーバ要求情報作成部１０ｂでサーバに渡す情報を作成する（同ｂ）。この情報には，制御内容（ＴＬ１コマンド），クライアント識別情報（クライアント♯１），制御対象（ネットワーク♯Ａ），制御名称（パス設定），占有時間の各項目が含まれる。この情報を含む制御要求はサーバ通信部（図２の１０ｇ）を通ってサーバ１１０のクライアント要求解析部１１０ｂ（図３）に送信される（図４のｃ）。クライアント要求解析部１１０ｂでは，受け取った制御要求の情報中の「制御対象」の情報からデータベース１１１の対象テーブル（ネットワーク）と対象インスタンス（ネットワーク♯Ａ）を求め，該当インスタンスのカラム情報を更新する（図４のｄ）。この場合，(1) ＮＥ制御状況を「無」から「有」に更新し，(2) クライアント，(3) 制御名称，(4) 占有時間の各情報も更新する。更に，クライアント要求解析部１１０ｂは制御状況設定要求（制御対象がネットワーク♯Ａ）をデータベース１１１に送信し，「制御対象」のリレーションによりクライアントからの操作をマスクする「制御対象」の範囲を決定するためにデータベースより情報を取得する。例えば，制御対象が「ネットワーク♯Ａ」の場合，ネットワーク♯Ａに属する装置の情報をデータベースより取得する（図４のｆ）。そのため，制御対象読出要求（ネットワーク♯Ａに属するＮＥの読出要求）をデータベースに送信し（図４のｇ），制御対象読出応答（NE♯a,♯b,♯c,♯d,♯e)が返ってくる（同ｈ）。
【００２５】
データベースから取得した情報により，サーバのクライアント要求解析部１１０ｂはマスク対象の「制御情報」を取得し，該当するテーブル（NE) と対象インスタンスの，(1)NE 制御状況（「無」を「有」に更新），(2) クライアント，(3) 制御名称，(4) 占有時間のカラム情報を更新し（図４のｉ），更新した情報を含む制御状況設定要求をデータベースに送信する（図５のｊ）。続いて，ＴＬ１（制御コマンド）制御実行要求をサーバのＮＥ制御情報作成＆応答解析部１１０ｃに送る（図５のｋ）。一方，サーバのクライアント要求解析部１１０ｂは，制御要求を送信したクライアント（♯１）以外のログイン中の全クライアント（♯２，……♯ｎ）に対して制御要求を受信したことを通知する（図５のｌ）。また，ＴＬ１制御実行要求を受け取ったサーバのＮＥ制御情報作成＆応答解析部１１０ｃは，ＮＥ（制御対象）２に対してＴＬ１（制御コマンド）制御実行要求を送信し（図５のｍ），ＮＥ２からＴＬ１制御実行応答が返ってくると（同ｎ），クライアント端末♯１に対しＴＬ１制御実行応答を送信する（同ｏ）。クライアント端末♯１ではサーバ応答解析部１０ｄで解析を行うと，サーバ応答結果書き込み部１０ｆにＴＬ１制御実行応答を転送し（図５のｐ），サーバ応答結果書き込み部１０ｆはＧＵＩ部１０ａに応答結果を画面表示のために書き込む（同ｑ）。
【００２６】
サーバのクライアント要求解析部１１０ｂは，上記のＴＬ１制御終了通知をＮＥ制御情報作成＆応答解析部１１０ｃから受け取ると制御状態を，ＮＥ制御状況（「有」を「無」へ），クライアント，制御名称，占有時間を含めて書き換え，制御状況解除要求（ネットワーク♯Ａを対象）をデータベース１１１に送信し（図５のｓ），更に制御状況解除要求（装置♯ａ，……♯ｅを対象）をデータベース１１１に送信する（同ｔ）。また，サーバのクライアント要求解析部１１０ｂはクライアント端末♯１のトリガ受信部１０ｃに対して状態変更（制御終了）通知を，制御要求を発生したクライアント♯１以外のログイン中の全クライアント（♯２，……♯ｎ）に対して制御処理が終了したことを通知する（図５のｕ）。
【００２７】
図６はその他のクライアント端末とサーバの処理シーケンス例であり，制御要求をしたクライアント端末♯１以外のクライアント♯２〜♯ｎとサーバとの相互の動作を示す。
【００２８】
クライアント端末♯１からの制御要求がサーバで受け取られることにより（上記図４のａ），クライアント要求解析部１１０ｂから状態変更通知がクライアント端末♯１以外の各クライアント端末♯２〜♯ｎ（以下，♯２に限定する）に送信される（図６のａ，図５のｌと同じ）。これをクライアント♯２のトリガ受信部１０ｃで受信すると，制御状態読出要求をサーバ応答解析部１０ｄに送信し（図６のｂ），サーバ応答解析部１０ｄからサーバに対して制御状態読出要求が転送され（同ｃ），クライアント要求解析部１１０ｂからデータベース１１１にアクセスして読出しを行うと（同ｄ，ｅ），クライアント要求解析部１１０ｂからクライアント端末♯２のサーバ応答解析部１０ｄで制御情報読出応答が返ってくる（同ｆ）。これにより，データベースの各テーブルからのＮＥ制御状況が「有」であるシステム／ネットワーク／ＮＥ（伝送装置）の情報を取得する。サーバ応答解析部１０ｄは，データベースから取得した制御状況により，マスク設定範囲またはマスク解除範囲を決定し（図６のｇ），画面マスク処理部１０ｅにマスク処理実行要求を送信する（同ｈ）。画面マスク処理部１０ｅは，サーバ応答解析部１０ｄにて設定したマスク処理を実施し（図６のｉ），ＧＵＩ部１０ａに対して画面表示させる。ＧＵＩ部１０ａではマスク処理された画像を表示する。
【００２９】
上記図１に示すクライアント端末♯１からの制御要求は一つのネットワーク♯Ａ全体（ＮＥ♯ａ〜ＮＥ♯ｅからなるリングネットワーク）を制御対象としている。この場合は，他のクライアント端末♯２〜♯ｎの表示画面には，図１の１００−２に示すように，ネットワーク♯Ａを構成する５つの伝送装置からなるリングネットワークがカスレ表示されているが，制御対象として一つの伝送装置だけが指定された場合は，その伝送装置だけをカスレ表示する。その場合のデータや画面の表示状態を図７により説明する。
【００３０】
図７は一つの伝送装置を制御対象とした場合の説明図である。図７のａ．はクライアント端末♯１からの制御要求の内容として，ネットワーク♯Ａの中の「ＮＥ♯ａ」を制御対象とし，制御内容が「ＰＫＧ設定」（パッケージ設定）及び占有時間が設定されている場合に，その制御要求がサーバ（図１の１１０）に送信されて，データベース（図１の１１１）に制御状況が設定される，データベース（図１の１１１）が更新された状態を示す。これにより，図７のａ．に示すようにＮＥテーブルのネットワーク♯Ａの中の制御対象として指定されたＮＥ♯ａの制御状況が「無」から「有」に設定される。この場合，制御要求を行うクライアント端末♯１の画面には図７のｂ．に示すように，ネットワーク♯Ａが通常表示（選択状態）で表示され，各種操作が可能であることを表す。これに対し，他のクライアント端末♯２〜♯ｎが上記図６に示すシーケンスにより制御状態読出要求を行った場合，ネットワーク♯Ａの伝送装置ＮＥ♯ａの制御状況がクライアント端末♯１により「有」（制御中の状態を表す）であるため，マスク処理が行われて，これらの端末の画面には，図７のｃ．に示すように制御中のＮＥ♯ａだけがカスレ表示となり，ＮＥ♯ａの操作が不可であることを操作者に認識させる。
【００３１】
上記の実施例では基幹伝送路網（ネットワーク）のシステム名，ネットワーク名，ＮＥ名等の何れかを制御対象として指定すると，指定された階層に対応した範囲の制御対象の画像をカスレ表示することで，ネットワークの中の監視・制御が不可となる範囲が操作者に予め知らせることができる。なお，上記の説明ではカスレ表示を使用する例だけ記載したが，操作者が通常とは異なることを認識できる各種の表示形式（色，形や組み合わせ）により表示することができる。
【００３２】
（付記１）  基幹伝送路網を構成する複数の伝送装置からなるネットワークの監視・制御のための複数のクライアント端末とサーバとを備えたオペレーションシステムにおいて，前記クライアント端末は，前記ネットワーク内の制御対象，制御元のクライアント識別情報，制御名称，占有時間等の制御情報を含む制御要求を作成する手段と，作成された制御要求を前記サーバに送信する手段とを備え，前記サーバは，ネットワークの構成を階層化して分類したテーブルを備えたデータベースと，前記クライアント端末から受け取った前記制御要求を解析して，制御対象に対応した前記データベースのテーブル中に制御元のクライアント端末単位の各制御情報を格納する手段と前記制御要求に基づいてネットワークへの制御情報を作成する手段とを備え，前記サーバ側でクライアント端末単位の制御情報を管理することを特徴とするネットワークの監視・制御のための複数のクライアント端末とサーバとを備えたオペレーションシステム。
【００３３】
（付記２）  付記１において，前記サーバの前記制御情報を格納する手段は，前記制御要求に基づいて前記データベースの制御対象に対応したテーブル中に当該制御対象の制御状況を表す情報として，制御中を表す情報を設定し，制御対象の階層単位にクライアント端末からの制御状況を管理することを特徴とするネットワークの監視・制御のための複数のクライアント端末とサーバとを備えたオペレーションシステム。
【００３４】
（付記３）  付記１において，前記サーバは前記クライアント端末から送信された前記制御要求の受信を契機として，接続中のその他のクライアント端末に対して状態変更通知を通知する手段を備え，各クライアント端末において他のクライアント端末の制御状況を識別することを特徴とするネットワークの監視・制御のための複数のクライアント端末とサーバとを備えたオペレーションシステム。
【００３５】
（付記４）  付記３において，前記状態変更通知を受け取ったことを契機として前記他のクライアント端末は，前記サーバに対して前記データベースの制御状況の読み出し要求を行う手段と，前記サーバから受け取った前記データベースから読み出した制御状況が制御中に設定された制御対象について，当該制御対象の階層関係に対応した範囲の画面への表示を通常と異なる表示形態に変更する画面マスク処理部を備え，同一制御対象に対する操作を抑止することを特徴とするネットワークの監視・制御のための複数のクライアント端末とサーバとを備えたオペレーションシステム。
【００３６】
（付記５）  付記４において，前記他のクライアント端末は，前記制御中に設定された制御対象を通常と異なる表示形態で表示した画面中に，詳細表示を指示するためのボタン画像を表示し，前記詳細表示を指示するボタン画像が指示されると，前記データベースから読み出した制御状況が制御中に設定された制御情報である，制御中のクライアント端末，占有時間等の情報を画面に表示することを特徴とするネットワークの監視・制御のための複数のクライアント端末とサーバとを備えたオペレーションシステム。
【００３７】
（付記６）  複数のクライアント端末とサーバとで基幹伝送路網を構成する複数の伝送装置からなるネットワーク監視・制御のためのオペレーションシステムにおいて，クライアント端末からの制御対象を，システム，ネットワーク，伝送装置，セクション，パスというシステムを最上位としてリレーション化するようサーバのデータベースに保持し，各クライアント端末は，前記サーバのデータベースに読み出し要求を出して他のクライアント端末からの制御対象の階層を識別し，リレーション情報から識別した制御対象の階層と，それに属する下位の構成を判断することにより，関連する制御対象に対する操作を抑止することを特徴とするネットワークの監視・制御のための複数のクライアント端末とサーバとを備えたオペレーションシステム。
【００３８】
（付記７）  複数のクライアント端末とサーバとで基幹伝送路網を構成する複数の伝送装置からなるネットワーク監視・制御のためのオペレーションシステムにおいて，任意のクライアント端末は前記ネットワークの制御対象，制御元，制御名称を含む制御要求を作成して前記サーバに送信し，前記サーバは前記制御要求を受け取ると前記制御情報を前記ネットワークを構成する階層に分けてデータベースに設定すると共に状態変化の通知を前記制御要求を発生したクライアント端末以外の全てのクライアント端末に通知し，前記制御要求を発生したクライアント端末以外の全てのクライアント端末は，前記サーバに対して制御状態読出要求を送信し，前記サーバが前記データベースから読出した制御状態を受け取り，前記読出した制御状態の中に制御中と設定された制御対象が存在すると当該制御対象を通常と異なる表示形態で表示することにより制御対象への重複制御を防止することを特徴とするネットワーク監視・制御のためのオペレーションシステム。
【図面の簡単な説明】
【００３９】
【図１】本発明の原理構成を示す図である。
【図２】実施例のクライアント端末の構成を示す図である。
【図３】実施例のサーバの構成を示す図である。
【図４】制御要求をしたクライアント端末とサーバとネットワークの処理シーケンス例（その１）を示す図である。
【図５】制御要求をしたクライアント端末とサーバとネットワークの処理シーケンス例（その２）を示す図である。
【図６】その他のクライアント端末とサーバの処理シーケンス例を示す図である。
【図７】一つの伝送装置を制御対象とした場合の説明図である。
【図８】従来例の説明図である。
【符号の説明】
【００４０】
１          オペレーションシステム（Ｏｐｓ）
１０        クライアントシステム
１０−１    クライアント端末（♯１）
１０−ｎ    クライアント端末（♯ｎ）
１１        サーバシステム
１１０      サーバ
１１１      データベース
１１１ａ    システムテーブル
１１１ｂ    ネットワークテーブル
１１１ｃ    伝送装置（ＮＥ）テーブル
２          ネットワーク（基幹伝送路網）
２０ａ（ＮＥ♯ａ）〜２０ｅ（ＮＥ♯ｅ）  ネットワーク♯Ａの伝送装置
２０ｆ（ＮＥ♯ｆ）〜２０ｊ（ＮＥ♯ｊ）  ネットワーク♯Ｂの伝送装置
１００−１    クライアント端末１０♯１の画面
１０１−１    制御対象の画像
１０２−１    詳細表示ボタン
１００−２    クライアント端末１０♯２〜１０♯ｎの画面
１０１−２    制御対象の画像
１０２−２    詳細表示ボタン
【図１】
2008077133.tif 000003
【図２】
2008077133.tif 000004
【図３】
2008077133.tif 000005
【図４】
2008077133.tif 000006
【図５】
2008077133.tif 000007
【図６】
2008077133.tif 000008
【図７】
2008077133.tif 000009
【図８】
2008077133.tif 000010